(57)【要約】【課題】低電流域から高電流域までのフォーカス特性を改善し、且つ耐圧特性の改善を図った電子銃及び陰極線管を提供する。【解決手段】電子銃は、フォーカス電極Ｇ５Ａ、Ｇ５Ｂと、フォーカス電極Ｇ５Ａ、Ｇ５Ｂの後段側に配されたアノード電極Ｇ６　と、フォーカス電極Ｇ５Ａ、Ｇ５Ｂの前段側に隣り合って配置された前段電極Ｇ４　とを有し、前段電極Ｇ４　に、抵抗体３５を介してアノード電位とフォーカス電位の中間の電位が分圧供給されて成る。陰極線管は、かかる電子銃を備えて成る。【選択図】　図２
2004039499.tif 000002
【特許請求の範囲】
【請求項１】
フォーカス電極と、
前記フォーカス電極の後段側に配されたアノード電極と、
前記フォーカス電極の前段側に隣り合って配置された前段電極とを有し、
前記前段電極に、抵抗体を介してアノード電位とフォーカス電位の中間の電位が分圧供給されて成る
ことを特徴とする電子銃。
【請求項２】
フォーカス電極と、
前記フォーカス電極の後段側に配されたアノード電極と、
前記フォーカス電極と前記アノード電極との間に配置された中間電極と、
前記フォーカス電極の前段側に隣り合って配置された前段電極とを有し、
前記前段電極と中間電極とに、抵抗体を介してアノード電位とフォーカス電位との中間の同電位が分圧供給されて成る
ことを特徴とする電子銃。
【請求項３】
前記フォーカス電極が、四重極レンズを構成し、ダイナミックフォーカス電圧が印加される電極とスタティックフォーカス電圧が印加される電極とから成る
ことを特徴とする請求項１記載の電子銃。
【請求項４】
前記フォーカス電極が、四重極レンズを構成し、ダイナミックフォーカス電圧が印加される電極とスタティックフォーカス電圧が印加される電極とから成る
ことを特徴とする請求項２記載の電子銃。
【請求項５】
前記抵抗体の分圧端子が前記中間の電位に対応した位置に設けられて成る
ことを特徴とする請求項１記載の電子銃。
【請求項６】
前記抵抗体の分圧端子が前記中間の電位に対応した位置に設けられて成る
ことを特徴とする請求項２記載の電子銃。
【請求項７】
フォーカス電極と、
前記フォーカス電極の後段側に配されたアノード電極と、
前記フォーカス電極の前段側に隣り合って配置された前段電極とを有し、
前記前段電極に抵抗体を介してアノード電位とフォーカス電位の中間の電位が分圧供給されてなる電子銃を、備えて成る
ことを特徴とする陰極線管。
【請求項８】
フォーカス電極と、
前記フォーカス電極の後段側に配されたアノード電極と、
前記フォーカス電極と前記アノード電極との間に配置された中間電極と、
前記フォーカス電極の前段側に隣り合って配置された前段電極とを有し、
前記前段電極と中間電極とに抵抗体を介してアノード電位とフォーカス電位との中間の同電位が分圧供給されてなる電子銃を、備えて成る
ことを特徴とする陰極線管。
【請求項９】
前記電子銃の前記フォーカス電極が、四重極レンズを構成し、ダイナミックフォーカス電圧が印加される電極とスタティックフォーカス電圧が印加される電極とから成る
ことを特徴とする請求項７記載の陰極線管。
【請求項１０】
前記電子銃の前記フォーカス電極が、四重極レンズを構成し、ダイナミックフォーカス電圧が印加される電極とスタティックフォーカス電圧が印加される電極とから成る
ことを特徴とする請求項８記載の陰極線管。
【請求項１１】
前記抵抗体の分圧端子が前記中間の電位に対応した位置に設けられて成る
ことを特徴とする請求項７記載の陰極線管。
【請求項１２】
前記抵抗体の分圧端子が前記中間の電位に対応した位置に設けられて成る
ことを特徴とする請求項８記載の陰極線管。
【発明の詳細な説明】
【０００１】
【発明の属する技術分野】
本発明は、電子銃、及びこの電子銃を備えた陰極線管に関する。
【０００２】
【従来の技術】
近年、例えばテレビジョン受像機やコンピュータ用ディスプレイ等に用いられる陰極線管に対し、より高精細な画面表示への要求が高まっている。これに伴い、陰極線管用の電子銃においても、高精細に対応するために電子ビームスポット径を小さくすることが要求されている。
【０００３】
図１０は、従来のコンピュータディスプレイに用いられるインライン型電子銃の基本的な構成を示す。このインライン型電子銃１は、インライン配列された赤、緑及び青に対応する３つのカソードＫ〔ＫＲ　，ＫＧ　，ＫＢ　〕に対して共通となるように、複数の電極、即ち第１電極Ｇ１　、第２電極Ｇ２　、第３電極Ｇ３　、第４電極Ｇ４　、第５電極Ｇ５　、第６電極Ｇ６　が順に配列されて成る。第６電極Ｇ６　の後段には、之と一体のシールドカップＧ７　が設けられる。
【０００４】
第６電極Ｇ６　には高圧電位（アノード電圧）の例えば２０〜３５ｋＶ程度が供給される。第５電極Ｇ５　と第３電極Ｇ３　にはスタティックフォーカス電圧ＦＳ　の例えば５〜１０ｋＶ程度が供給される。第４電極Ｇ４　と第２電極Ｇ２　には低電圧の例えば４００〜１５００Ｖ程度が供給される。第１電極Ｇ１　には０Ｖが供給される。第５電極Ｇ５　と第６電極Ｇ６　間で主電子レンズが形成される。
【０００５】
図１１は、従来のインライン型電子銃の他の例を示す。このインライン型電子銃４は、図１０の構成において、第５電極Ｇ５　を第５Ａ電極Ｇ５Ａと第５Ｂ電極Ｇ５Ｂとに２分割して四重極レンズを形成し、偏向ヨークの非点を相殺するように構成される。この場合、第３電極Ｇ３　と第５Ａ電極Ｇ５Ａにはスタティックフォーカス電圧ＦＳ　の例えば５〜１０ｋＶ程度が供給され、第５Ｂ電極Ｇ５Ｂにはダイナミックフォーカス電圧ＦＶ　の例えば５〜１０ｋＶ程度が供給される。その他の構成は、図１０と同様である。このような四重極レンズを有するインライン型電子銃も一般的である。
【０００６】
電極への電圧供給は、通常カソードＫ，第１電極Ｇ１　〜第５電極Ｇ５　までを電子銃支持部のステムピン２から供給し、第６電極Ｇ６　への高圧電位をインラインの内装同伝膜（例えば内装カーボン膜）を通して供給している。
【０００７】
また最近では、図１２に示すように、第３電極Ｇ３　と第５Ａ電極Ｇ５Ａへのスタティックフォーカス電圧ＦＳ　を、第６電極Ｇ６　と０Ｖのステムピン２間に接続した内蔵抵抗体５（図１６参照）からの分圧によって供給するように構成されたインライン型電子銃６も知られている。その他の構成は図１１と同様である（特開平７ー９４１１７号参照）。
また、図１３に示すように、主電子レンズの収差を軽減する目的で、主電子レンズを構成する第５電極Ｇ５　〔Ｇ５Ａ、Ｇ５Ｂ）と第６電極Ｇ６　との間に、第５電極Ｇ５　の電位（５〜１０ｋＶ）と第６電極Ｇ６　の電位（２５〜３０ｋＶ）の中間電位ＶＧ　（１５ｋＶ程度）をもつ中間電極ＧＭ　を配置して構成されたインライン型電子銃７も知られている。この場合、第３電極Ｇ３　第５Ａ電極Ｇ５Ａへのスタティックフォーカス電圧ＦＳ　をステムピン２から供給し、中間電極ＧＭ　への電位ＶＧ　を第６電極Ｇ６　と０Ｖのステムピン２間に接続した内蔵抵抗体５からの分圧によって供給している。その他の構成は図１２と同様である。中間電極ＧＭ　を設けることにより、主電子レンズの電位が緩やかに高くなり収差が軽減する（特開平９ー３２０４８５号参照）。
【０００８】
【発明が解決しようとする課題】
上述したように、陰極線管においては表示画像のより高精細化が望まれている。解像度を上げるためには、蛍光面上での像点径（ビームスポット径）が小さければ小さい程良く、またカソード電流の低電流域から高電流域まで像点径が小さいことがよい。しかし、上述の電子銃構造では電流を上げて行く程、リパルジョンによる像点径が大きくならざるを得ず、高電流域でのフォーカス特性が劣化する。
図９は、模式的に電子銃１６での電子ビームのクロスオーバ点における物点径Ｐ１　とスクリーン１５上で収束された像点径Ｐ２　を表した簡単な電子レンズ系（主電子レンズＬＭ　）を示す。
【０００９】
一方、図１３の電子銃７においては、内蔵抵抗体５からの分圧により中間電極ＧＭ　に中間電位（中圧）ＶＭ　を供給しているが、このとき内蔵抵抗体５の分岐端子（中圧端子）ｔＭ　が高圧側端子（アノード側）ｔＨ　に近接して設けらる。端子ｔＥ　は接地端子である。内蔵抵抗体５は、図１４及び図１５に示すように、電子銃７の各電極を支持する１対のビードガラス９（９Ａ，９Ｂ）の一方のビードガラス９Ａの外側に、陰極線管体（ガラス管体）１０のネック部１０Ｎの内壁に近接するように配置される。このように内蔵抵抗体５が管壁に近接していると、第６電極Ｇ６　の高圧電位（例えば約３０ｋＶ）による第６電極Ｇ６　近傍のネック内壁部分１３のシャージアップの影響で、内蔵抵抗体５の分岐端子ｔＭ　（例えばアノード電位の半分の約１５ｋＶ）からチャージアップしたネック内壁部分１３に向かって電子が出やすくなり、放電の要因になる。
【００１０】
本発明は、上述の点に鑑み、低電流域から高電流域にわたってビームスポット径を小さくしてフォーカス特性の改善を図ると共に、耐圧特性の改善を可能にした電子銃及び陰極線管を提供するものである。
【００１１】
【課題を解決するための手段】
本発明に係る電子銃は、フォーカス電極と、フォーカス電極の後段側に配されたアノード電極と、フォーカス電極の前段側に隣り合って配置された前段電極とを有し、前段電極に、抵抗体を介してアノード電位とフォーカス電位の中間の電位が分圧供給された構成とする。
【００１２】
本発明の電子銃では、フォーカス電極の前段電極にアノード電圧とフォーカス電圧との中間電位が供給されるので、カソードから出射したび前段電極により早い段階で加速され、ビームの電子間反発を抑えることができ、蛍光面上でのビームスポット径の増加が抑制される。従って、カソード電流の低電流域から高電流域までフォーカス特性の改善が図れる。また、中間の電位を供給する抵抗体の分圧端子が高圧側より離れ、分圧端子と管壁の高圧チャージアップ部分から離れるので、放電が抑制される。
【００１３】
本発明に係る陰極線管は、フォーカス電極と、フォーカス電極の後段側に配されたアノード電極と、フォーカス電極の前段側に隣り合って配置された前段電極とを有し、前段電極に抵抗体を介してアノード電位とフォーカス電位の中間の電位が分圧供給されてなる電子銃を、備えた構成とする。
【００１４】
本発明の陰極線管では、上記電子銃を備えることにより、カソード電流の低電流域から高電流域までのフォーカス特性の改善が図られ、且つ耐電圧特性が改善され、画像の高輝度、高解像度化が図れると共に、高信頼性化が図られる。
【発明の実施の形態】
以下、図面を参照して本発明の実施の形態を説明する。
【００１５】
図１は、本発明のカラー陰極線管の一実施の形態を示す。
本実施の形態に係るカラー陰極線管２１は、陰極線管体（例えばガラス管体）２２のパネル２２Ｐの内面に赤（Ｒ）、緑（Ｇ）、青（Ｂ）の各色蛍光体層からなるカラー蛍光面２４が形成され、この蛍光面２４に対向して色選別機構２５が配置され、ネック部２２Ｎ内に後述の本発明によるインライン型の電子銃２６が配置されてなる。管体２２の外側には、電子銃２６からの各色の電子ビームＢＲ　，ＢＧ　及びＢＢ　を水平、垂直方向に偏向させる偏向ヨーク２７が配置される。
【００１６】
このカラー陰極線管２２では、電子銃２６の各色に対応するカソードＫ〔ＫＲ　，ＫＧ　，ＫＢ　〕から出射された各電子ビームＢ〔ＢＲ　，ＢＧ　，ＢＢ　〕が複数の電極で形成された主電子レンズで収束され、蛍光面２４上でフォーカスされ、且つ集中（コンバージェンス）されて、赤、緑、青の各蛍光体層に照射される。この電子ビームＢＲ　，ＢＧ　，ＢＢ　が偏向ヨーク２７によって水平、垂直方向に偏向されて所要のカラー画像が表示される。
【００１７】
図２は、かかるカラー陰極線管２１における電子銃２６の一実施の形態を示す。
本実施の形態に係るインライン型電子銃２６１は、インライン配列された赤、緑及び青に対応する３つのカソードＫ〔ＫＲ　，ＫＧ　及びＫＢ　〕に対して共通となるように、複数の電極、本例では、第１電極Ｇ１　、第２電極Ｇ２　、第３電極Ｇ３　、フォーカス電極となる第４電極を２分割構造とした第４Ａ電極Ｇ４Ａ及び第４Ｂ電極Ｇ４Ｂ、中間電極ＧＭ　、高圧（アノード）電極となる第５電極Ｇ５　がこの順に配列され、さらに第５電極Ｇ５　の後段に之と一体のシールドカップＧ７　が設けられて成る。第１電極Ｇ１　〜第５電極Ｇ５　には、各カソードＫＲ　，ＫＧ　，ＫＢ　に対応して夫々１つずつのビーム透過孔（図示せず）が設けられている。
【００１８】
第５電極Ｇ５　には高圧電位（アノード電圧）、例えば２０ｋＶ〜３５ｋＶが供給される。フォーカス電極である第４Ａ電極Ｇ４Ａにはスタティックフォーカス電圧ＦＳ　、例えば５ｋＶ〜１０ｋＶ程度の範囲内で所要の固定電位が供給され、第４Ｂ電極Ｇ４Ｂにはダイナミックフォーカス電圧ＦＶ　、例えば５ｋＶ〜１０ｋＶ程度の範囲内で可変する所要の可変電位が供給される。この第４Ａ電極Ｇ４Ａと第４Ｂ電極Ｇ４Ｂにより四重極レンズが形成される。第１電極Ｇ１　には０Ｖが供給される。第２電極Ｇ２　には４００Ｖ〜１５００Ｖ程度の電圧が供給される。これら各電極Ｇ１　、Ｇ２　、Ｇ４Ａ、Ｇ４Ｂへの電圧供給は電子銃支持部のステムピン３１から行われる。第５電極Ｇ５　への高圧電位は、陰極線管のアノードボタンから内装導電膜（例えば内装カーボン膜）を通じて供給される。
【００１９】
そして、本実施の形態においては、第３電極Ｇ３　を第２電極Ｇ２　及び第４Ａ電極Ｇ４Ａよりも十分長く形成し、この第３電極Ｇ３　と中間電極ＧＭ　とを導通させると共に、内蔵抵抗体３５を介して中間電極ＧＭ　及び第３電極Ｇ３　に同電位の中間電圧ＶＭ　を分圧供給する。中間電圧ＶＭ　はアノード電圧とフォーカス電圧ＦＳ　の中間の電圧（中圧）が供給される。即ち、図４に示すように、絶縁基板の一面に抵抗体３４を被着形成し表面を絶縁被覆して抵抗体３４の両端と中間に接地端子ｔＥ　，高圧端子ｔＨ　，分圧端子（中圧端子）ｔＭ　を形成してなる内蔵抵抗体３５が設けられる。分圧端子ｔＭ　は中間電圧ＶＭ　に対応した位置、例えば抵抗体３４が等ピッチで形成され、中間電圧ＶＭ　がアノード電圧の半分であれば、抵抗体３４の形成長さの１／２の位置に導出される。即ち、分圧端子ｔＭ　は、後述で明らかなようにネック内壁の放電パスが生じない位置に設けられる。この内蔵抵抗体３５の高圧端子ｔＨ　を第５電極Ｇ５　に接続し、接地端子ｔＥ　を接地電位（０Ｖ）のステムピン３１に接続し、分圧端子ｔＭ　を第３電極Ｇ３　及び中間電極ＧＭ　の導通線に接続することにより、第３電極Ｇ３　と中間電極ＧＭ　とに中圧電位ＶＭ　、例えば１０ｋＶ〜２０ｋＶ、本例では１５ｋＶ程度が供給される。内蔵抵抗体３５は、前述の図１４と同様に１対のビードガラス９（９Ａ，９Ｂ）のうちの一方のビードガラス９Ａの外側に配置される。
【００２０】
本実施の形態の電子銃２６１によれば、フォーカス電極である第４電極Ｇ４Ａ、Ｇ４Ｂの隣り合う前段電極、即ち第３電極Ｇ３　に中間電極ＧＭ　と同じ中圧電位ＶＭ　を供給することにより、また第３電極Ｇ３　の長さが比較的長いことから、カソードＫから出射した電子ビームが第３電極Ｇ３　にて早い段階で加速されビームの電子間の反発（リパルジョン）を抑えることができ、リパルジョンによる像点径の増加を軽減することができる。つまり蛍光面上でのビームスポット径の増加を抑え、フォーカス特性を良くすることができる。このリパルジョンによる像点径の増加を抑制する効果は、特にカソード電流が大きい高電流域で大きい。
【００２１】
図８は、像点径のカソード電流依存特性を示すグラフである。曲線（実線）ａは本発明の電子銃の特性を示し、曲線（破線）ｂは従来例の電子銃の特性を示す。従来例に比べて、本発明の電子銃は低電流域から高電流域にわたって像点径の増加が抑えられ、特に高電流域で顕著な効果を奏する。
【００２２】
一方、本実施の形態では、耐電圧特性を向上することができる。即ち、第３電極Ｇ３　及び中間電極ＧＭ　への中間電圧ＶＭ　の供給は、内蔵抵抗体３５からの分圧供給で行うが、内蔵抵抗体３５の中圧端子ｔＭ　の位置を、図５、図４に示すように、高圧端端子ｔＨ　より離すことが可能になり、従って中圧端子ｔＭ　とネック内壁の高圧チャージ部分３８との間の放電を抑えることができ、耐電圧特性の向上が図れる。本例では、中圧端子ｔＭ　の電位が高圧（アノード電圧）の約半分であり、中圧端子ｔＭ　の位置が抵抗体３４の長さの中心付近に設けることが可能なため、抵抗パターンの設計が無理なく容易となる。
【００２３】
本実施の形態の電子銃２６１を備えたカラー陰極線管１によれば、フォーカス特性及び耐電圧特性を良くし、信頼性の高い、且つ高輝度、高精細度のカラー陰極線管を提供することができる。
【００２４】
図３は、上述の本発明に係る電子銃２６の他の実施の形態を示す。
本実施の形態に係るインライン型電子銃２６２は、インライン配列された赤、緑及び青に対応する３つのカソードＫ〔ＫＲ　，ＫＧ　及びＫＢ　〕に対して共通となるように、複数の電極、本例では、第１電極Ｇ１　、第２電極Ｇ２　、第３電極Ｇ３　、第４電極Ｇ４　、フォーカス電極となる第５電極を２分割構造とした第５Ａ電極Ｇ５Ａ及び第５Ｂ電極Ｇ５Ｂ、中間電極ＧＭ　、高圧（アノード）電極となる第６電極Ｇ６　がこの順に配列され、さらに第６電極Ｇ６　の後段に之と一体のシールドカップＧ７　が設けられて成る。第１電極Ｇ１　〜第６電極Ｇ５　には、各カソードＫＲ　，ＫＧ　，ＫＢ　に対応して夫々１つずつのビーム透過孔（図示せず）が設けられている。
【００２５】
第６電極Ｇ６　には高圧電位（アノード電圧）、例えば２０ｋＶ〜３５ｋＶが供給される。フォーカス電極である第５Ａ電極Ｇ５Ａと第３電極Ｇ３　にはスタティックフォーカス電圧ＦＳ　、例えば５ｋＶ〜１０ｋＶ程度の範囲内で所要の固定電位が供給され、第５Ｂ電極Ｇ５Ｂにはダイナミックフォーカス電圧ＦＶ　、例えば５ｋＶ〜１０ｋＶ程度の範囲内で可変する所要の可変電位が供給される。この第５Ａ電極Ｇ５Ａと第５Ｂ電極Ｇ５Ｂにより四重極レンズが形成される。第１電極Ｇ１　には０Ｖが供給される。第２電極Ｇ２　には４００Ｖ〜１５００Ｖ程度の電圧が供給される。これら各電極Ｇ１　、Ｇ２　、Ｇ３　、Ｇ５Ａ、Ｇ５Ｂへの電圧供給は電子銃支持部のステムピン３１から行われる。第６電極Ｇ６　への高圧電位は、陰極線管のアノードボタンから内装導電膜（例えば内装カーボン膜）を通じて供給される。
【００２６】
そして、本実施の形態の電子銃２６２においては、第４電極Ｇ４　を第３電極Ｇ３　及び第５Ａ電極Ｇ５Ａよりも長く形成し、この第４電極Ｇ４　と中間電極ＧＭ　とを導通させると共に、内蔵抵抗体３５を介して互いに同電位となるように中間電極ＧＭ　及び第４電極Ｇ４　に前述と同様の中間電圧ＶＭ　を分圧供給する。内蔵抵抗体３５の構成、配置、分圧端子（中圧端子）ｔＭ　の位置等は前述と同様であるので重複説明を省略する。
【００２７】
本実施の形態の電子銃２６２によれば、フォーカス電極である第５電極Ｇ５Ａ、Ｇ５Ｂの之と隣り合う前段電極、即ち第４電極Ｇ４　に中間電極ＧＭ　と同じ中圧電位ＶＭ　を供給するとこにより、またの第４電極Ｇ４　の長さが比較的長いことから、カソードＫから出射した電子ビームが第４電極Ｇ４　にて早い段階で加速されビームの電子間の反発（リパルジョン）を抑えることができ、リパルジョンによる像点径の増加を軽減することができる。これによって、上述と同様に低電流域から高電流域にわたってフォーカス特性を良くすることができる。同時に内蔵抵抗体３５の分圧端子ｔＭ　が、ネック内壁の高圧チャージ部分３８から離れているので、分圧端子ｔＭ　と高圧チャージ部分３８間の放電が抑制され、耐電圧特性を向上することができる。
【００２８】
図６及び図７は、上述の本発明に係る電子銃２６の他の実施の形態を示す。本実施の形態は中間電極ＧＭ　を有しない構成である。
【００２９】
図６の本実施の形態に係るインライン型電子銃２６３は、インライン配列された３つのカソードＫ〔ＫＲ　，ＫＧ　，ＫＢ　〕に対して共通となるように、複数の電極、本例では第１電極Ｇ１　第２電極Ｇ２　、第３電極Ｇ３　、第４電極Ｇ４　、フォーカス電極である第５電極Ｇ５　、第６電極Ｇ６　及びシールドカップＧ７　が順次配列されてなる。前述の図１０の従来例と同様に、第６電極Ｇ６　には高圧電位ＶＨ　の例えば２０〜３５ｋＶ程度が供給される。第５電極Ｇ５　と第３電極Ｇ３　にはスタティックフォーカス電圧ＦＳ　の例えば５ｋＶ〜１０ｋＶ程度が供給される。第２電極Ｇ２　には低電圧の例えば４００〜１５００Ｖ程度が供給され、第１電極Ｇ１　には０Ｖが供給される。各電極Ｇ１　、Ｇ２　、Ｇ３　、Ｇ５　はステムピン３１を通じて電圧供給される。第５電極Ｇ５　と第６電極Ｇ６　間で主電子レンズが形成される。
そして、本実施の形態では、第４電極Ｇ４　に内蔵抵抗体３５を介して高圧電位ＶＨ　とフォーカス電位ＦＳ　間の中間電位ＶＭ　を分圧供給する。内蔵抵抗体３５の構成、配置、分圧端子（中圧端子）ｔＭ　の位置等は前述と同様であるので重複説明を省略する。
【００３０】
図７の本実施の形態に係るインライン型電子銃２６４は、インライン配列された３つのカソードＫ〔ＫＲ　，ＫＧ　，ＫＢ　〕に対して共通となるように、複数の電極、本例では第１電極Ｇ１　第２電極Ｇ２　、第３電極Ｇ３　、第４電極Ｇ４　、フォーカス電極である第５Ａ電極Ｇ５Ａ及び第５Ｂ電極Ｇ５Ｂ、第６電極Ｇ６　、シールドカップＧ７　が順次配列されてなる。前述の図１１の従来例と同様に、第６電極Ｇ６　には高圧電位ＶＨ　の例えば２０ｋＶ〜３５ｋＶ程度が供給される。第５Ａ電極Ｇ５Ａと第３電極Ｇ３　は導通されて之にスタティックフォーカス電圧ＦＳ　の例えば５ｋＶ〜１０ｋＶ程度の範囲内で所要固定電位が供給され、第５Ｂ電極Ｇ５Ｂにはダイナミックフォーカス電圧ＦＶ　の例えば５ｋ〜１０ｋＶ程度の範囲で可変する所要の可変電位が供給される。この第５Ａ電極Ｇ５Ａと第５Ｂ電極Ｇ５Ｂにより四重極レンズが供給される。第２電極Ｇ２　には低電圧の例えば４００〜１５００Ｖ程度が供給され、第１電極Ｇ１　には０Ｖが供給される。各電極Ｇ１　、Ｇ２　、Ｇ３　、Ｇ５Ａ、Ｇ５Ｂはステムピン３１を通じて電圧供給される。
そして、本実施の形態では、フォーカス電極Ｇ５Ａ、Ｇ５Ｂの前段電極である第４電極Ｇ４　に、内蔵抵抗体３５を介して高圧電位ＶＨ　とフォーカス電位ＦＳ　間の中間電位ＶＭ　を分圧供給する。内蔵抵抗体３５の構成、配置、分圧端子（中圧端子）ｔＭ　の位置等は前述と同様であるので重複説明を省略する。
【００３１】
上述の本実施の形態の電子銃２６３及び２６４においても、低電流域から高電流域にわたってフォーカス特性を良くし、また耐電圧特性を向上させることができる等、前述の実施の形態と同様の効果を奏する。
【００３２】
なお、第３電極Ｇ３　、あるいは第４電極Ｇ４　への中圧電位ＶＭ　の供給をステムピン３１から独立に供給することも可能であるが、内蔵抵抗体３５を介して行った方が、ステムピン側のピン間耐圧の点で有利である。
上例では、各電極Ｇ１　〜Ｇ５　に、各カソードＫＲ　，ＫＧ　，ＫＢ　に対応して１つのビーム透過孔を設ける構成としたが、その他、少なくとも第１電極Ｇ１　及び第２電極Ｇ２　に、各カソードＫＲ　，ＫＧ　，ＫＢ　に対応して複数、例えば２つずつのビーム透過孔を設けたマルチビーム方式の電子銃にも本発明を適用することができる。
上例では、本発明をインライン型電子銃に適用したが、投射型表示装置（プロジェクタ）に用いる単色陰極線管用の電子銃にも適用することもできる。
【００３３】
【発明の効果】
本発明に係る電子銃によれば、フォーカス特性を従来より改善することができる。即ち蛍光面（スクリーン）に照射される電子ビームの像点径を小さくすることができ、特にカソード電流の高電流域になる程小さくすることができる。
内蔵抵抗体を介して所要の電極に中圧電位ＶＭ　を供給するときには、内蔵抵抗体の分圧端子とネック内壁の高圧チャージアップ部分との放電を回避でき、耐電圧特性を良くすることができる。分圧端子を低圧側に位置させることができるので、内蔵抵抗体の抵抗体パターンの設計を容易にする。
【００３４】
本発明に係る陰極線管によれば、上述の電子銃を備えることにより、カソード電流の低電流域から高電流域にわたってフォーカス特性を良くすることがき、また耐電圧特性を良くすることができ、更なる画像の高精細度化、高信頼性化を可能にする。
【図面の簡単な説明】
【図１】本発明に係る陰極線管の一実施の形態を示す構成図である。
【図２】本発明に係る電子銃の一実施の形態を示す構成図である。
【図３】本発明に係る電子銃の他の実施の形態を示す構成図である。
【図４】本実施の形態に係る内蔵抵抗体の構成図である。
【図５】本発明の耐電圧特性の説明に供する説明図である。
【図６】本発明に係る電子銃の他の実施の形態を示す構成図である。
【図７】本発明に係る電子銃の他の実施の形態を示す構成図である。
【図８】本発明と従来例とを比較した像点径とカソード電極との関係を示すグラフである。
【図９】電子銃での物点径とスクリーン上の像点径を表した電子レンズ径を示す模式図である。
【図１０】従来の電子銃の一例を示す構成図である。
【図１１】従来の電子銃の他の例を示す構成図である。
【図１２】従来の電子銃の他の例を示す構成図である。
【図１３】従来の電子銃の他の例を示す構成図である。
【図１４】陰極線管の電子銃を封入したネック部の横断面図である。
【図１５】従来の陰極線管の電子銃を封入したネック部の縦断面図である。
【図１６】従来例の内蔵抵抗体の構成図である。
【符号の説明】
１、４、６、７・・・電子銃、Ｇ１　・・・第１電極、Ｇ２　・・・第２電極、Ｇ３　・・・第３電極、Ｇ４　・・・第４電極、Ｇ４Ａ・・・第４Ａ電極、Ｇ４Ｂ・・・第４Ｂ電極、Ｇ５　・・・第５電極、Ｇ５Ａ・・・第５Ａ電極、Ｇ５Ｂ・・・第５Ｂ電極、ＧＭ　・・・中間電極、Ｇ６　・・・第６電極、Ｇ７　・・・シールドカップ、５、３５・・・内蔵抵抗体、ｔＥ　・・・接地端子、ｔＭ　・・・分圧端子、ｔＨ　・・・アノード端子、２１・・・カラー陰極線管、２２・・・管体、２２Ｐ・・・パネル、２２Ｎ・・・ネック部、２４・・・蛍光面、２５・・・色選別機構、２６・・・電子銃、２７・・・偏向ヨーク
【図１】
2004039499.tif 000003
【図２】
2004039499.tif 000004
【図３】
2004039499.tif 000005
【図４】
2004039499.tif 000006
【図５】
2004039499.tif 000007
【図６】
2004039499.tif 000008
【図７】
2004039499.tif 000009
【図８】
2004039499.tif 000010
【図９】
2004039499.tif 000011
【図１０】
2004039499.tif 000012
【図１１】
2004039499.tif 000013
【図１２】
2004039499.tif 000014
【図１３】
2004039499.tif 000015
【図１４】
2004039499.tif 000016
【図１５】
2004039499.tif 000017
【図１６】
2004039499.tif 000018